(57)【要約】【課題】折っただけの装着状態で腹側及び背側の両方に沿った形状となりやすく、かつ脚に対してより低刺激となる、パッドタイプ吸収性物品を提供する。【解決手段】上記課題は、股間部Ｃと、股間部Ｃの前側及び後側にそれぞれ延びる前側部分Ｆ及び後側部分Ｂと、股間部Ｃを含む領域に設けられた吸収体４と、吸収体４の裏側を覆う液不透過性シート３と、吸収体４の表側を覆う液透過性のトップシート２と、を備え、股間部Ｃの前端部は、両方の側部に、側縁から幅方向ＷＤ内側に向かう第１の切り込み２１を有しており、股間部Ｃの後端部は、両方の側部に、側縁から幅方向ＷＤ内側に向かう第２の切り込み２２を有している、ことを特徴とするパッドタイプ吸収性物品１により解決される。【選択図】図１
2020039772.tif 000002
【特許請求の範囲】
【請求項１】
股間部と、股間部の前側及び後側にそれぞれ延びる前側部分及び後側部分と、
股間部を含む領域に設けられた吸収体と、
前記吸収体の裏側を覆う液不透過性シートと、
前記吸収体の表側を覆う液透過性のトップシートと、
を備えたパッドタイプ吸収性物品において、
前記股間部の前端部は、両方の側部に、側縁から幅方向内側に向かう第１の切り込みを有しており、
前記股間部の後端部は、両方の側部に、側縁から幅方向内側に向かう第２の切り込みを有している、
ことを特徴とするパッドタイプ吸収性物品。
【請求項２】
前記吸収体よりも側方に延び出た、前記吸収体のないサイドフラップ部を有しており、
前記第１の切り込みの幅方向の寸法及び前記第２の切り込みの幅方向の寸法は、前記股間部における前記サイドフラップ部の幅方向の寸法の１／３〜３／４倍である、
請求項１記載のパッドタイプ吸収性物品。
【請求項３】
前記第１の切り込みと前記第２の切り込みとの間の領域を、前後方向に三等分したとき、中央の領域における両方の側部に、側縁から幅方向内側に向かう第３の切り込みが設けられている、
請求項１又は２に記載のパッドタイプ吸収性物品。
【請求項４】
前記股間部は、前後方向中央を基準として前側に２０〜４５ｍｍの位置から後側に２０〜４５ｍｍの位置までの部分である、
請求項１〜３のいずれか１項に記載のパッドタイプ吸収性物品。
【請求項５】
前記前側部分の前後方向の寸法及び前記後側部分の前後方向の寸法は、それぞれ４０〜７０ｍｍである、
請求項１〜４のいずれか１項に記載のパッドタイプ吸収性物品。
【請求項６】
前記前側部分の全幅及び前記後側部分の全幅は、前記股間部の全幅よりも広く、
前記吸収体は、前後方向に沿う長辺を有する長方形をなし、
ギャザーを有しない、
請求項１〜５のいずれか１項に記載のパッドタイプ吸収性物品。
【請求項７】
どの方向にも折り畳まれていない、
請求項１〜６のいずれか１項に記載のパッドタイプ吸収性物品。
【請求項８】
ＪＩＳ  Ｌ  １９１３：２０１０に規定される４１．５°カンチレバー形試験機を水平に置き；
前記第１の切り込み及び前記第２の切り込みで折り曲げたことのない前記パッドタイプ吸収性物品を、その表面が試験機のプラットホームに接するように裏返した状態で、その前後方向が試験機の押し出し方向となるとともに、その後端を試験機のプラットホームの前端に合わせて置き、
鋼製定規の０点をマークＤに合わせた状態で鋼製定規をパッドタイプ吸収性物品の上に載せ、
前記パッドタイプ吸収性物品の前後方向が押し出し方向となるように、鋼製定規とパッドタイプ吸収性物品とを一緒に試験機の斜面の方向に緩やかに一定速度で押し出す、第１試験と；
前記第１の切り込み及び前記第２の切り込みで折り曲げたことのない前記パッドタイプ吸収性物品を、その表面が試験機のプラットホームに接するように裏返した状態で、その前後方向が試験機の押し出し方向となるとともに、その前端を試験機のプラットホームの前端に合わせて置き、
鋼製定規の０点をマークＤに合わせた状態で鋼製定規をパッドタイプ吸収性物品の上に載せ、
前記パッドタイプ吸収性物品の前後方向が押し出し方向となるように、鋼製定規とパッドタイプ吸収性物品とを一緒に試験機の斜面の方向に緩やかに一定速度で押し出す、第２試験と；
を行ったとき、
第１試験で、パッドタイプ吸収性物品の後端が試験機の斜面に初めて接触したときの、プラットホーム前端と前記第１の切り込みとの押し出し方向の離間距離が１０ｍｍ以内であり、
第２試験で、パッドタイプ吸収性物品の前端が試験機の斜面に初めて接触したときの、プラットホーム前端と前記第２の切り込みとの押し出し方向の離間距離が１０ｍｍ以内である、
請求項１〜７のいずれか１項に記載のパッドタイプ吸収性物品。
【発明の詳細な説明】
【技術分野】
【０００１】
本発明は、装着時の形状維持性を向上させたパッドタイプ吸収性物品に関するものである。
【背景技術】
【０００２】
低出生体重児は、新生児集中治療室（ＮＩＣＵ）において保育器内で保育される。そして、このような低出生体重児等においては、他の新生児と同様に通常のテープ式の使い捨ておむつを用いる他、身体の動きが殆ど無い場合には、皮膚への刺激を低減するために、身体の下に平坦な使い捨ておむつを敷くといった対応が採られることもある（特許文献１参照）。
【０００３】
また、身体の下に平坦な使い捨ておむつを敷いて尿を吸収する場合、尿がおむつの外側に飛散するおそれがあるため、パッドタイプ吸収性物品を前後方向の中間で二つ折りし、仰臥位等にある装着者に対して、折り位置より一方側を背側に配し、折り位置より他方側を腹側に配することも行われている（特許文献２参照）。
【０００４】
しかし、パッドタイプ吸収性物品を前後方向の中間で二つ折りして配置する方法では、パッドタイプ吸収性物品が横から見てＶ字状になり、腹側が身体表面から大きく浮きやすい。また、この場合、装着者が良肢位にあるとしても、折り位置よりも腹側に位置する部分の側縁が脚に接触しやすくなるだけでなく、側縁が切断により形成される切断縁となっているため、脚への刺激が強くなることも懸念される。
【先行技術文献】
【特許文献】
【０００５】
【特許文献１】特開２００８−１３６６２６号公報
【特許文献２】特開２０１５−０６６３３８号公報
【発明の概要】
【発明が解決しようとする課題】
【０００６】
そこで、本発明の主たる課題は、折っただけの装着状態で腹側及び背側の両方に沿った形状となりやすく、かつ脚に対してより低刺激となる、パッドタイプ吸収性物品を提供することにある。
【課題を解決するための手段】
【０００７】
上記課題を解決したパッドタイプ吸収性物品は以下のとおりである。
＜第１の態様＞
股間部と、股間部の前側及び後側にそれぞれ延びる前側部分及び後側部分と、
股間部を含む領域に設けられた吸収体と、
前記吸収体の裏側を覆う液不透過性シートと、
前記吸収体の表側を覆う液透過性のトップシートと、
を備えたパッドタイプ吸収性物品において、
前記股間部の前端部は、両方の側部に、側縁から幅方向内側に向かう第１の切り込みを有しており、
前記股間部の後端部は、両方の側部に、側縁から幅方向内側に向かう第２の切り込みを有している、
ことを特徴とするパッドタイプ吸収性物品。
【０００８】
（作用効果）
本パッドタイプ吸収性物品は、第１の切り込みの位置及び第２の切り込みの位置を折り位置として、前側部分及び後側部分を股間部に対して折り曲げることにより、横から見て略Ｕ字状とし、仰臥位等にある装着者に対して、後側部分を装着者の背側に沿って配し、股間部を装着者の股間に対向させ、前側部分を装着者の腹側に沿って配することができる。しかも、本パッドタイプ吸収性物品の側部のうち、第１の切り込みの位置と第２の切り込みの位置との間に位置するフラップ状の部分は、それよりも幅方向内側の部分に対して自由に折れ曲がることができ、裏側に折り返すこともできる。このため、本パッドタイプ吸収性物品の側部は装着者の脚に接するとしても面又は曲面で接触し、切断縁は装着者の脚に接触しないか又は極めて接触しにくいものであるため、脚に対する刺激はより少ないものとなる。
【０００９】
なお、用語「切り込み」とは、後述する例からも分かるように、幅を有しないスリット状の切り込みだけでなく、Ｕ字状やＶ字状のように側縁に向かうにつれて幅が徐々に広がる凹部を含む意味である。また、切り込みの位置は、切り込み間の幅が最も狭くなる位置によって定まるものである。
【００１０】
＜第２の態様＞
前記吸収体よりも側方に延び出た、前記吸収体のないサイドフラップ部を有しており、
前記第１の切り込みの幅方向の寸法及び前記第２の切り込みの幅方向の寸法は、前記股間部における前記サイドフラップ部の幅方向の寸法の１／４〜３／４倍である、
第１の態様のパッドタイプ吸収性物品。
【００１１】
（作用効果）
第１の切り込み及び第２の切り込みは、吸収体を有する部分まで延びていると折り曲げ容易性の点では好ましいが、吸収体が部分的とはいえむき出しになる点では好ましくない。よって、上記のようにサイドフラップ部を設け、第１の切り込み及び第２の切り込みをサイドフラップ部内に収めるのは好ましい。
【００１２】
＜第３の態様＞
前記第１の切り込みと前記第２の切り込みとの間の領域を、前後方向に三等分したとき、中央の領域における両方の側部に、側縁から幅方向内側に向かう第３の切り込みが設けられている、
第１又は２の態様のパッドタイプ吸収性物品。
【００１３】
（作用効果）
この場合、第３の切り込みの位置を折り位置として、股間部を横から見てＶ字状に折り曲げ、全体としてより滑らかな略Ｕ字状とすることができる。よって、より装着者の身体表面に沿った装着形状とすることができる。
【００１４】
＜第４の態様＞
前記股間部は、前後方向中央を基準として前側に２０〜４５ｍｍの位置から後側に２０〜４５ｍｍの位置までの部分である、
第１〜３のいずれか１つの態様のパッドタイプ吸収性物品。
【００１５】
（作用効果）
股間部の前後方向の寸法は製品の寸法や形状によって異なるが、前述のような低出生体重児を対象とした折り曲げのみの使用を想定した場合、本態様の範囲内であることが好ましい。
【００１６】
＜第５の態様＞
前記前側部分の前後方向の寸法及び前記後側部分の前後方向の寸法は、それぞれ８０〜１００ｍｍである、
第１〜４のいずれか１つの態様のパッドタイプ吸収性物品。
【００１７】
（作用効果）
前側部分及び後側部分の前後方向の寸法は、適宜定めることができるが、低出生体重児を対象とした折り曲げのみの使用を想定した場合、本態様の範囲内であると装着者の腹部及び背部を十分にカバーできるため好ましい。
【００１８】
＜第６の態様＞
前記前側部分の全幅及び前記後側部分の全幅は、前記股間部の全幅よりも広く、
前記吸収体は、前後方向に沿う長辺を有する長方形をなし、
ギャザーを有しない、
第１〜５のいずれか１つの態様のパッドタイプ吸収性物品。
【００１９】
（作用効果）
前述のような低出生体重児を対象とした折り曲げのみの使用を想定した場合、パッドタイプ吸収性物品の形状を本態様のように略砂時計状の形状とすることにより、装着者の良肢位を保ちつつ、装着者の被覆範囲を広く確保することができる。また、吸収体は長方形であることにより、吸収体を有する比較的に剛性の高い部分を肌に触れにくくすることができる。さらに、通常の吸収性物品ではギャザーを設けることにより、装着形状をしっかりと維持し、肌へのフィット性を確保するが、低出生体重児への適用を考慮した場合、肌に強く接触することは好ましくない。また、前述の折り曲げのみの装着に際してギャザーによる収縮が邪魔になるおそれもある。よって、本態様のようにギャザーを有しないことが好ましい。
【００２０】
＜第７の態様＞
どの方向にも折り畳まれていない、
第１〜６のいずれか１つの態様のパッドタイプ吸収性物品。
【００２１】
（作用効果）
パッドタイプ吸収性物品は、前後方向に二つ折り又は三つ折りされた状態で包装され、販売されることが多い。しかし、この場合、使用時には折癖がついており、第１の切り込み及び第２の切り込み以外で折れ曲がることにより、適切な装着状態とならないおそれがある。よって、本態様のように、製品状態でどの方向にも折り畳まれていないことが好ましい。
【００２２】
＜第８の態様＞
ＪＩＳ  Ｌ  １９１３：２０１０に規定される４１．５°カンチレバー形試験機を水平に置き；
前記第１の切り込み及び前記第２の切り込みで折り曲げたことのない前記パッドタイプ吸収性物品を、その表面が試験機のプラットホームに接するように裏返した状態で、その前後方向が試験機の押し出し方向となるとともに、その後端を試験機のプラットホームの前端に合わせて置き、
鋼製定規の０点をマークＤに合わせた状態で鋼製定規をパッドタイプ吸収性物品の上に載せ、
前記パッドタイプ吸収性物品の前後方向が押し出し方向となるように、鋼製定規とパッドタイプ吸収性物品とを一緒に試験機の斜面の方向に緩やかに一定速度で押し出す、第１試験と；
前記第１の切り込み及び前記第２の切り込みで折り曲げたことのない前記パッドタイプ吸収性物品を、その表面が試験機のプラットホームに接するように裏返した状態で、その前後方向が試験機の押し出し方向となるとともに、その前端を試験機のプラットホームの前端に合わせて置き、
鋼製定規の０点をマークＤに合わせた状態で鋼製定規をパッドタイプ吸収性物品の上に載せ、
前記パッドタイプ吸収性物品の前後方向が押し出し方向となるように、鋼製定規とパッドタイプ吸収性物品とを一緒に試験機の斜面の方向に緩やかに一定速度で押し出す、第２試験と；
を行ったとき、
第１試験で、パッドタイプ吸収性物品の後端が試験機の斜面に初めて接触したときの、プラットホーム後端と前記第１の切り込みとの押し出し方向の離間距離が１０ｍｍ以内であり、
第２試験で、パッドタイプ吸収性物品の前端が試験機の斜面に初めて接触したときの、プラットホーム前端と前記第２の切り込みとの押し出し方向の離間距離が１０ｍｍ以内である、
第１〜７のいずれか１つの態様のパッドタイプ吸収性物品。
【００２３】
（作用効果）
本態様のように、第１の切り込み又はその近傍、及び第２の切り込み又はその近傍で、自然に折れ曲がりやすい吸収性物品であると、前述のような低出生体重児を対象とした折り曲げのみの使用を想定した場合、パッドタイプ吸収性物品の形状が横から見て略Ｕ字状の好ましい形状になりやすく、かつその形状が維持されやすいため好ましい。なお、本第１試験及び第２試験における上記記載以外の条件は、ＪＩＳ  Ｌ  １９１３：２０１０に準ずるものとする。
【発明の効果】
【００２４】
以上のとおり本発明によれば、折っただけの装着状態で腹側及び背側の両方に沿った形状となりやすく、かつ脚に対してより低刺激となる、等の利点がもたらされる。
【図面の簡単な説明】
【００２５】
【図１】パッドタイプ吸収性物品を示す平面図である。
【図２】図１のＢ−Ｂ断面図である。
【図３】図１のＡ−Ａ断面図である。
【図４】使用状態の写真図である。
【図５】パッドタイプ吸収性物品を示す平面図である。
【図６】パッドタイプ吸収性物品を示す平面図である。
【図７】パッドタイプ吸収性物品を示す平面図である。
【図８】使用状態を概略的に示す側面図である。
【発明を実施するための形態】
【００２６】
以下、パッドタイプ吸収性物品について添付図面を参照しながら詳説する。断面図における点模様部分はその表側及び裏側に位置する各構成部材を接合する接合手段としての接着剤を示しており、ホットメルト接着剤のベタ、ビード、カーテン、サミット若しくはスパイラル塗布、又はパターンコート（凸版方式でのホットメルト接着剤の転写）などにより塗布されるものである。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００２７】
図１〜図７に示されるパッドタイプ吸収性物品１は、股間部Ｃと、股間部Ｃの前側及び後側にそれぞれ延びる前側部分Ｆ及び後側部分Ｂと、股間部Ｃを含む領域に設けられた吸収体４と、吸収体４の裏側を覆う液不透過性シート３と、吸収体４の表側を覆う液透過性のトップシート２とを備えている。股間部Ｃは、前後方向ＬＤの中間に位置する部分であり、使用時に装着者１００の股間に位置する部分を含み、製品によって、物品の前後方向ＬＤの中央に位置していたり、前側に位置していたりするものである。
【００２８】
パッドタイプ吸収性物品１の形状は特に限定されず、例えば図示例のように、股間部Ｃの両側縁が脚周りに沿う曲線状をなすように、前側部分Ｆの全幅Ｆｗ及び後側部分Ｂの全幅Ｂｗは、股間部Ｃの全幅Ｃｗよりも例えば１．２〜１．５倍程度広い略砂時計状の形状としたり、図示しないが前後方向ＬＤに長い略長方形状としたりすることができる。パッドタイプ吸収性物品１が略砂時計状の形状であると、装着者の良肢位を保ちつつ、装着者の被覆範囲を広く確保することができる。パッドタイプ吸収性物品１の周縁は角を有していないことが好ましいため、四隅の角部等は円弧状にトリミングした形状であることが好ましい。図６に示すように、前側部分Ｆ及び後側部分Ｂにおける股間部Ｃ寄りの縁２９は、緩やかな曲線（直線を含まない）からなる波状となっていると、脚１０１に対する刺激性がより低くなると考えられるため好ましい。
【００２９】
パッドタイプ吸収性物品１の寸法は適宜定めることができるが、例えば低出生体重児用の場合、全長Ｙは１００〜３００ｍｍ程度、全幅Ｘは５０〜１５０ｍｍ程度、全長Ｙは全幅Ｘの１.５〜３.０倍程度とすることができる。パッドタイプ吸収性物品１の吸収体４を有する部分における厚みは２〜８ｍｍ程度とすることができる。
【００３０】
各部の素材は公知のものを適宜用いることができる。吸収体４としては、パルプ繊維の積繊体、セルロースアセテート等のフィラメントの集合体、あるいは不織布を基本とし、必要に応じて高吸収性ポリマーを混合、固着等してなるものを用いることができる。低出生体重児用等の薄型の製品では、厚みを薄くするため吸収体４はパルプ繊維のエアレイド不織布とすることが好ましい。吸収体４がエアレイド不織布の場合、繊維目付けは８０〜１５０ｇ／ｍ2程度であるのが好ましく、高吸収性ポリマーの目付けは９０〜１６０ｇ／ｍ2程度であるのが好ましい。また、吸収体４は、長さ１９０ｍｍのときの、ＪＩＳ  Ｌ  １９１３：２０１０「４１．５°カンチレバー法」による剛軟度が１２０ｍｍ以下であると好ましい。
【００３１】
吸収体４の形状としては、図示例のように前後方向ＬＤに沿う長辺を有する略長方形とすると、吸収体４を有する比較的に剛性の高い部分を肌に触れにくくすることができため好ましいが、パッドタイプ吸収性物品１の外形と同様に、前側部分Ｆに位置する部分の全幅及び後側部分Ｂに位置する部分の全幅が、股間部Ｃに位置する部分の全幅よりも広い略砂時計状の形状とすることもできる。
【００３２】
吸収体４は、図示しない包装シートにより包装することができる。包装シートとしては、ティッシュペーパ、特にクレープ紙、不織布等を用いることができる。包装シートによる包装構造は公知の構造を特に限定なく適用することができる。
【００３３】
トップシート２は、液を透過する性質を有するものであり、例えば、有孔又は無孔の不織布や、多孔性プラスチックシートなどを例示することができる。不織布は特に限定されるものではない。例えば、不織布の構成繊維としては、ポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も、トップシート２に用いることができる。トップシート２に不織布を用いる場合、その目付けや厚みは特に限定されるものではないが、通常の場合、目付けは１０〜３５ｇ／ｍ2程度、厚みは１.０〜２.５ｍｍ程度のものを用いることができる。トップシート２としては、サーマルボンド法により繊維が結合された短繊維不織布が好ましく、ＫＥＳ摩擦感テスターにより測定される平均摩擦係数（ＭＩＵ）が０．２以下であることが好ましい。
【００３４】
トップシート２は、図示例のように吸収体４の前後左右にはみださせるほか、吸収体４の両側縁で吸収体４の裏側に回り込み、吸収体４の両側部下まで延在させることもできる。
【００３５】
液不透過性シート３の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布７等を重ねて接合した積層シートなどを例示することができる。液不透過性シート３には、ムレ防止の観点から好まれて使用されている液不透過性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。この他にも、マイクロデニール繊維を用いた不織布、熱や圧力をかけることで繊維の空隙を小さくすることによる防漏性強化、高吸水性樹脂又は疎水性樹脂や撥水剤の塗工といった方法により、プラスチックフィルムを用いずに液不透過性としたシートも、液不透過性シート３として用いることができる。
【００３６】
液不透過性シート３は、図示例のように吸収体４の前後左右にはみださせるほか、吸収体４の両側縁で吸収体４の表側に回り込み、吸収体４の両側部上まで延在させることもできる。
【００３７】
図示例では、パッドタイプ吸収性物品１の全長にわたり、吸収体４よりも側方に延び出た、吸収体４のないサイドフラップ部５を有している。サイドフラップ部の幅方向寸法は適宜定めることができるが、７〜１２ｍｍ程度とすることができる。図示しないが、図示例におけるトップシート２を吸収体４の両側縁で裏側に折り返すとともに、液不透過性シート３の幅を吸収体４の幅以下とするか、又は液不透過性シート３を吸収体４の両側縁で表側に折り返すことにより、サイドフラップ部５の無い構造とすることができる。
【００３８】
（切り込み）
特徴的には、股間部Ｃの前端部は、両方の側部に、側縁から幅方向ＷＤ内側に向かう第１の切り込み２１を有しており、股間部Ｃの後端部は、両方の側部に、側縁から幅方向ＷＤ内側に向かう第２の切り込み２２を有している。切り込み２１，２２，２３の形状は、図１、図５及び図６に示す例のように、Ｕ字状やＶ字状のように側縁に向かうにつれて幅が徐々に広がる凹部とする他、図７に示すように、幅を有しないスリット状とすることもできる。ここで、前後方向ＬＤにおける各切り込み２１，２２，２３の位置は、幅方向の切り込みの間隔２１ｄ，２２ｄ，２３ｄが最も狭くなる位置によって定まるものである。
【００３９】
本パッドタイプ吸収性物品１は、第１の切り込み２１の位置及び第２の切り込み２２の位置を折り位置として、前側部分Ｆ及び後側部分Ｂを股間部Ｃに対して折り曲げることにより、図４及び図８に装着状態を示すように、横から見て略Ｕ字状とし、仰臥位等にある装着者１００に対して、後側部分Ｂを装着者１００の背側に沿って配し、股間部Ｃを装着者１００の股間に対向させ、前側部分Ｆを装着者１００の腹側に沿って配することができる。しかも、本パッドタイプ吸収性物品１の側部のうち、第１の切り込み２１の位置と第２の切り込み２２の位置との間に位置するフラップ状の部分２５は、それよりも幅方向ＷＤの内側の部分に対して自由に折れ曲がることができ、裏側に折り返すこともできる。このため、本パッドタイプ吸収性物品１の側部は装着者１００の脚１０１に接するとしても面又は曲面で接触し、切断縁は装着者１００の脚１０１に接触しないか又は極めて接触しにくいものであるため、脚に対する刺激はより少ないものとなる。
【００４０】
第１の切り込み２１及び第２の切り込み２２は、吸収体４を有する部分まで延びていると折り曲げ容易性の点では好ましいが、吸収体４が部分的とはいえむき出しになる点では好ましくない。よって、図示例のようにサイドフラップ部５を設け、第１の切り込み２１及び第２の切り込み２２をサイドフラップ部５内に収めるのは好ましい。特に限定されるものではないが、第１の切り込み２１の幅方向ＷＤの寸法及び第２の切り込み２２の幅方向ＷＤの寸法は、サイドフラップ部５の幅方向ＷＤの寸法の１／３〜３／４倍程度とすることができる。具体的に、サイドフラップ部５の幅方向ＷＤの寸法が７〜１２ｍｍの場合、第１の切り込み２１の幅方向ＷＤの寸法及び第２の切り込み２２の幅方向ＷＤの寸法はそれぞれ３〜８ｍｍ程度とすることができる。なお、切り込みの幅方向の寸法は、股間部の全幅Ｃｗから各切り込みの幅方向の間隔２１ｄ，２２ｄ，２３ｄを差し引いた値の半分の値である。
【００４１】
図５に示すように、第１の切り込み２１と第２の切り込み２２との間の領域を、前後方向ＬＤに三等分したとき、中央の領域における両方の側部に、側縁から幅方向ＷＤ内側に向かう第３の切り込み２３が設けられているのも好ましい形態である。この場合、図４及び図８（ｂ）に示すように、第３の切り込み２３の位置を折り位置として、股間部Ｃを横から見てＶ字状に折り曲げ、全体としてより滑らかな略Ｕ字状とすることができる。よって、より装着者１００の身体表面に沿った装着形状とすることができる。第３の切り込み２３の位置は、前後方向中央ＣＰ又はその近傍（例えば前後方向中央ＣＰを基準として±５ｍｍ）であると特に好ましい。
【００４２】
股間部Ｃの前後方向ＬＤの寸法は製品の寸法や形状によって異なるが、低出生体重児を対象とした折り曲げのみの使用を想定した場合、股間部Ｃは、前後方向中央ＣＰを基準として前側に２０〜４５ｍｍの位置から後側に２０〜４５ｍｍの位置までの部分とすることが好ましい。したがって、この範囲の前端部及び後端部に第１の切り込み２１及び第２の切り込み２２が設けられることとなる。
【００４３】
前側部分Ｆ及び後側部分Ｂの前後方向ＬＤの寸法も、適宜定めることができるが、低出生体重児を対象とした折り曲げのみの使用を想定した場合、それぞれ４０〜７０ｍｍであると、装着者１００の腹部及び背部を十分にカバーできるため好ましい。
【００４４】
通常の吸収性物品では両側部等の適所に前後方向ＬＤや幅方向ＷＤに沿うギャザーを設けることにより、装着形状をしっかりと維持し、肌へのフィット性を確保するが、低出生体重児への適用を考慮した場合、肌に強く接触することは好ましくない。また、前述の折り曲げのみの装着に際してギャザーによる収縮が邪魔になるおそれもある。よって、このような低出生体重児用のパッドタイプ吸収性物品１は、図示例のようにギャザーを有しないことが好ましい。
【００４５】
また、パッドタイプ吸収性物品１は、前後方向ＬＤに二つ折り又は三つ折りされた状態で包装され、販売されることが多い。しかし、この場合、使用時には折癖がついており、第１の切り込み２１及び第２の切り込み２２以外で折れ曲がることにより、適切な装着状態とならないおそれがある。よって、前述の折り曲げのみの装着を行うパッドタイプ吸収性物品１は、製品状態でどの方向にも折り畳まれていないことが好ましい。
【００４６】
他方、第１の切り込み２１の位置、及び第２の切り込み２２の位置で、自然に折れ曲がりやすい吸収性物品であると、前述のような低出生体重児を対象とした折り曲げのみの使用を想定した場合、パッドタイプ吸収性物品１の形状が横から見て略Ｕ字状の好ましい形状になりやすく、かつその形状が維持されやすいため好ましい。
【００４７】
具体的に、このような特性のパッドタイプ吸収性物品１は、ＪＩＳ  Ｌ  １９１３：２０１０に規定される４１．５°カンチレバー形試験機を水平に置き、以下の第１試験で、パッドタイプ吸収性物品１の後端が試験機の斜面に初めて接触したときの、プラットホーム前端と第１の切り込み２１との押し出し方向の離間距離が１０ｍｍ以内となり、以下の第２試験で、パッドタイプ吸収性物品１の前端が試験機の斜面に初めて接触したときの、プラットホーム前端と第２の切り込み２２との押し出し方向の離間距離が１０ｍｍ以内となるものである。
（第１試験）
・第１の切り込み２１及び第２の切り込み２２で折り曲げたことのないパッドタイプ吸収性物品１を、その表面が試験機のプラットホームに接するように裏返した状態で、その前後方向ＬＤが試験機の押し出し方向となるとともに、その後端を試験機のプラットホームの前端に合わせて置き、
・鋼製定規の０点をマークＤに合わせた状態で鋼製定規をパッドタイプ吸収性物品１の上に載せ、
・パッドタイプ吸収性物品１の前後方向ＬＤが押し出し方向となるように、鋼製定規とパッドタイプ吸収性物品１とを一緒に試験機の斜面の方向に緩やかに一定速度で押し出す。
（第２試験）
・第１の切り込み２１及び第２の切り込み２２で折り曲げたことのないパッドタイプ吸収性物品１を、その表面が試験機のプラットホームに接するように裏返した状態で、その前後方向ＬＤが試験機の押し出し方向となるとともに、その前端を試験機のプラットホームの前端に合わせて置き、
・鋼製定規の０点をマークＤに合わせた状態で鋼製定規をパッドタイプ吸収性物品１の上に載せ、
・パッドタイプ吸収性物品１の前後方向ＬＤが押し出し方向となるように、鋼製定規とパッドタイプ吸収性物品１とを一緒に試験機の斜面の方向に緩やかに一定速度で押し出す。
【００４８】
このような特性のパッドタイプ吸収性物品１は、例えば、不織布７を省略した以外は図１〜図７に示すものと同様の構造を採用し、以下の寸法や素材を使用することにより製造することができる。なお、以下に示す剛軟度は、ＪＩＳ  Ｌ  １９１３：２０１０「４１．５°カンチレバー法」によるものを意味する。また、以下に示さない他の条件は、技術常識に基づいてこの種の製品で通常使用される範囲内で適宜定めることができる。
（外形）
全長Ｙ：１７０ｍｍ
全幅Ｘ：７５ｍｍ
股間部Ｃの前後方向範囲：前後方向中央ＣＰを基準として前側に３７ｍｍの位置から後側に２０ｍｍの位置までの部分。
サイドフラップ部５の幅方向ＷＤの寸法：１０ｍｍ
第１の切り込み２１の幅方向ＷＤの寸法：５ｍｍ
第２の切り込み２２の幅方向ＷＤの寸法：５ｍｍ
股間部Ｃの全幅Ｃｗ：５６ｍｍ
前側部分Ｆの全幅Ｆｗ及び後側部分Ｂの全幅Ｂｗ：７５ｍｍ
（トップシート）
素材：エアスルー不織布。
繊度：２．０ｄｔｅｘ
目付け：２５ｇ／ｍ2
厚み：１．０ｍｍ
剛軟度：５０ｍｍ
（液不透過性シート）
素材：透湿性ポリエチレンフィルム
厚み：２０μｍ
剛軟度：１５ｍｍ
（吸収体）
形状：長方形
前後方向の寸法５ｙ：１５０ｍｍ
幅方向の寸法５ｘ：３５ｍｍ
素材：パルプエアレイド不織布
目付け：２３５ｇ／ｍ2
厚み：１．５ｍｍ
剛軟度：１１０ｍｍ
【００４９】
＜明細書中の用語の説明＞
明細書中の以下の用語は、明細書中に特に記載が無い限り、以下の意味を有するものである。
【００５０】
・「前後方向」とは図中に符号ＬＤで示す方向（縦方向）を意味し、「幅方向」とは図中にＷＤで示す方向（左右方向）を意味し、前後方向と幅方向とは直交するものである。
【００５１】
・「表側」とはパッドタイプ吸収性物品を着用した際に着用者の肌に近い方を意味し、「裏側」とはパッドタイプ吸収性物品を着用した際に着用者の肌から遠い方を意味する。
【００５２】
・「表面」とは部材の、パンツタイプ使い捨ておむつを着用した際に着用者の肌に近い方の面を意味し、「裏面」とはパンツタイプ使い捨ておむつを着用した際に着用者の肌から遠い方の面を意味する。
【００５３】
・「全光線透過率」は、全光線透過率はＪＩＳ−Ｋ７１０５に準じて測定される値を意味する。
【００５４】
・「伸長率」は、自然長を１００％としたときの値を意味する。例えば、伸長率が２００％とは、伸長倍率が２倍であることと同義である。
【００５５】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したもの）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００５６】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００５７】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【００５８】
・吸水量は、ＪＩＳ  Ｋ７２２３−１９９６「高吸水性樹脂の吸水量試験方法」によって測定する。
【００５９】
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【００６０】
・「展開状態」とは、収縮や弛み無く平坦に展開した状態を意味する。
【００６１】
・各部の寸法は、特に記載が無い限り、自然長状態ではなく展開状態における寸法を意味する。
【００６２】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【００６３】
本発明は、低出生体重児へ使用に適しているが、他の用途のパッドタイプ吸収性物品としても利用できることはいうまでもない。
【符号の説明】
【００６４】
１…パッドタイプ吸収性物品、２…トップシート、３…液不透過性シート、４…吸収体、５…サイドフラップ部、７…不織布、２１，２２，２３…切り込み、２１…第１の切り込み、２２…第２の切り込み、２３…第３の切り込み、Ｂ…後側部分、Ｃ…股間部、Ｆ…前側部分、ＬＤ…前後方向、ＷＤ…幅方向、２５…フラップ状の部分、１００…装着者、１０１…脚。
【図１】
2020039772.tif 000003
【図２】
2020039772.tif 000004
【図３】
2020039772.tif 000005
【図４】
2020039772.tif 000006
【図５】
2020039772.tif 000007
【図６】
2020039772.tif 000008
【図７】
2020039772.tif 000009
【図８】
2020039772.tif 000010